(57)【要約】【課題】アナログスイッチを利用した逆多重化部を用いるＥＬ表示装置とその駆動方法を提供する。【解決手段】本発明の有機電界発光表示装置は、データドライバーから出力される信号を拡張して複数のデータ線に供給する逆多重化部を含み、前記逆多重化部は、アナログスイッチのオン／オフ動作を通じて前記データドライバーから出力される信号を前記各データ線に伝達する。また、本発明による駆動方法は、一つのフレームを二つの部分に分けて駆動するが、前半１/２フレームの間は前記各行の画素のうちの互いに隣接しない画素にデータ信号を印加し、後半１/２フレームの間は前記前半１/２フレームの間にデータ信号が印加されなかった画素にデータ信号を印加する。本発明による有機ＥＬ表示装置を駆動すると、供給電流が２倍になるので逆多重化部を用いることによって入力時間が縮少する問題を解決することができる。【選択図】図４
2005049838.tif 000002
【特許請求の範囲】
【請求項１】
画像信号を示すデータ信号を伝達する第１信号を伝達する第１及び第２データ線、選択信号を伝達する第１走査線、前記第１データ線と前記第１走査線とに電気的に連結される第１画素回路、そして前記第２データ線と前記第１走査線とに電気的に連結される第２画素回路を含む表示領域と、
前記第１及び第２データ線に各々該当するデータ信号を信号線を通じて順次に出力するデータドライバーと、
前記選択信号を出力する走査ドライバーと、
前記信号線からのデータ信号を前記第１及び第２データ線に各々伝達する逆多重化部とを含み、
１フレームは第１及び第２フィールドを含み、
前記第１フィールドのうちの第１期間内に前記第１データ線からのデータ信号が前記第１画素回路に入力され、前記第２フィールドのうちの第２期間内に前記第２データ線からのデータ信号が前記第２画素回路に入力されることを特徴とする表示装置。
【請求項２】
前記第１及び第２期間では前記第１走査線に選択信号が印加され、前記第１期間で前記第１画素回路にデータ信号が入力される間に前記第２画素回路にはブランク信号が入力され、前記第２期間で前記第２画素回路にデータ信号が入力される間に前記第１画素回路にはブランク信号が入力されることを特徴とする請求項１に記載の表示装置。
【請求項３】
前記データ信号は電流形態で供給される信号であり、前記第１期間内では前記第２画素回路に印加されるデータ信号は遮断されて前記第２画素回路にブランク信号が入力され、前記第２期間内では前記第１画素回路に印加されるデータ信号は遮断されて前記第１画素回路にブランク信号が入力されることを特徴とする請求項２に記載の表示装置。
【請求項４】
前記第１及び第２画素回路は各々前記入力されたデータ信号のサイズに対応して光を発する発光素子を含み、前記第１フィールドの間に、前記第１画素回路の前記発光素子が発光し、前記第２フィールドの間に、前記第２画素回路の前記発光素子が発光して画像が表示されることを特徴とする請求項３に記載の表示装置。
【請求項５】
前記第１フィールドのうちの第３期間内に、前記第１走査線の次に選択信号を受信する第２走査線と前記第１データ線とに電気的に連結される第３画素回路に前記第１データ線からのデータ信号が入力され、前記第２フィールドのうちの第４期間内に、前記第２走査線と前記第２データ線とに電気的に連結される第４画素回路に前記第２データ線からのデータ信号が入力されることを特徴とする請求項１乃至４のうちのいずれか一項に記載の表示装置。
【請求項６】
前記第３期間で前記第３画素回路にデータ信号が入力される間に前記第４画素回路にはブランク信号が入力され、前記第４期間で前記第４画素回路にデータ信号が入力される間に前記第３画素回路にはブランク信号が入力されることを特徴とする請求項５に記載の表示装置。
【請求項７】
前記第２フィールドのうちの第３期間内に、前記第１走査線の次に選択信号を受信する第２走査線と前記第１データ線とに電気的に連結される第３画素回路に前記第１データ線からのデータ信号が入力され、
前記第１フィールドのうちの第４期間内に、前記第２走査線と前記第２データ線とに電気的に連結される第４画素回路に前記第２データ線からのデータ信号が入力されることを特徴とする請求項１乃至４のうちのいずれか一項に記載の表示装置。
【請求項８】
前記第１フィールドで前記第４画素回路にデータ信号が入力される間に前記第３画素回路にはブランク信号が入力され、前記第２フィールドで前記第３画素回路にデータ信号が入力される間に前記第４画素回路にはブランク信号が入力されることを特徴とする請求項７に記載の表示装置。
【請求項９】
前記逆多重化部は、前記信号線と前記第１データ線との間に電気的に連結される第１スイッチ及び前記信号線と前記第２データ線との間に電気的に連結される第２スイッチを含み、
前記第１期間内では前記第１スイッチがターンオンされ、前記第２スイッチがターンオフされ、前記第２期間内では前記第２スイッチがターンオンされ、前記第１スイッチがターンオフされることを特徴とする請求項１に記載の表示装置。
【請求項１０】
前記第１データ線は奇数番目のデータ線であり、前記第２データ線は偶数番目のデータ線であることを特徴とする請求項１に記載の表示装置。
【請求項１１】
前記第１データ線は偶数番目のデータ線であり、前記第２データ線は奇数番目のデータ線であることを特徴とする請求項１に記載の表示装置。
【請求項１２】
一方向に形成されている第１及び第２データ線、前記第１及び第２データ線と交差して形成されており、互いに隣接した第１及び第２走査線、前記第１データ線と前記第１走査線とに電気的に連結される第１画素回路、前記第２データ線と前記第１走査線とに電気的に連結される第２画素回路、前記第１データ線と前記第２走査線とに電気的に連結される第３画素回路、そして前記第２データ線と前記第２走査線とに電気的に連結される第４画素回路を含む表示領域と、
前記第１及び第２データ線に各々該当するデータ信号を信号線を通じて順次に出力するデータドライバーと、
前記信号線からのデータ信号を前記第１及び第２データ線に各々伝達する逆多重化部とを含み、
１フレームは第１及び第２フィールドを含み、前記第１フィールドの間に前記第１画素回路が画像を表示し、前記第２フィールドの間に前記第２画素回路が画像を表示し、前記第２フィールドが所定の期間移動した第３フィールドの間に前記第３画素回路が画像を表示し、前記第１フィールドが所定の期間移動した第４フィールドの間に前記第４画素回路が画像を表示することを特徴とする表示装置。
【請求項１３】
一方向に形成されている第１及び第２データ線、前記第１及び第２データ線と交差して形成されており、互いに隣接した第１及び第２走査線、前記第１データ線と前記第１走査線とに電気的に連結される第１画素回路、前記第２データ線と前記第１走査線とに電気的に連結される第２画素回路、前記第１データ線と前記第２走査線とに電気的に連結される第３画素回路、そして前記第２データ線と前記第２走査線とに電気的に連結される第４画素回路を含む表示領域と、
前記第１及び第２データ線に各々該当するデータ信号を信号線を通じて順次に出力するデータドライバーと、
前記信号線からのデータ信号を前記第１及び第２データ線に各々伝達する逆多重化部とを含み、
１フレームは第１及び第２フィールドを含み、前記第１フィールドの間に前記第１画素回路が画像を表示し、前記第２フィールドの間に前記第２画素回路が画像を表示し、前記第１フィールドが所定の期間移動した第３フィールドの間に前記第３画素回路が画像を表示し、前記第２フィールドが所定の期間移動した第４フィールドの間に前記第４画素回路が画像を表示することを特徴とする表示装置。
【請求項１４】
前記逆多重化部は、前記信号線と前記第１データ線との間に電気的に連結される第１スイッチ及び前記信号線と前記第２データ線との間に電気的に連結される第２スイッチを含むことを特徴とする請求項１２または１３に記載の表示装置。
【請求項１５】
前記所定の期間は、前記第１または第２走査線を通じて印加される選択信号のイネーブル期間を含むことを特徴とする請求項１２または１３に記載の表示装置。
【請求項１６】
前記第１乃至第４画素回路は各々前記入力されたデータ信号のサイズに対応して光を発する発光素子を含み、
前記第１乃至第４フィールドの間に各々前記第１乃至第４画素回路の発光素子が発光して画像が表示されることを特徴とする請求項１２または１３に記載の表示装置。
【請求項１７】
複数の第１データ線、隣接した第１データ線の間に各々形成される複数の第２データ線、複数の第１走査線、隣接した第１走査線の間に各々形成される複数の第２走査線、そして前記第１または第２データ線と前記第１または第２走査線とによって規定される領域に各々形成され、発光素子を有する複数の画素を含み、信号線を通じて順次に印加されるデータ信号を前記第１及び第２データ線に分離して印加する表示装置の駆動方法において、
一つのフレームを複数のフィールドに分けて駆動し、
前記複数のフィールドのうちの第１フィールドの間に、前記第１走査線と前記第１データ線とによって規定される領域に前記第１データ線が延びている方向に形成された画素に前記第１データ線を通じてデータ信号を順次に印加する段階と、
前記複数のフィールドのうちの第２フィールドの間に、前記第１走査線と前記第２データ線とによって規定される領域に前記第２データ線が延びている方向に形成された画素に前記第２データ線を通じてデータ信号を印加する段階とを有することを特徴とする表示装置の駆動方法。
【請求項１８】
前記第１走査線に連結された画素に前記第１データ線を通じてデータ信号が印加される間に、前記第２データ線及び前記データ信号が印加される画素と同一な第１走査線に連結された画素ではデータ信号が削除されることを特徴とする請求項１７に記載の表示装置の駆動方法。
【請求項１９】
前記第１フィールドの間に、前記第２走査線と前記第２データ線とによって規定される領域に前記第２データ線が延びている方向に形成された画素に前記第２データ線を通じてデータ信号を印加する段階と、
前記第２フィールドの間に、前記第２走査線と前記第１データ線とによって規定される領域に前記第１データ線が延びている方向に形成された画素に前記第１データ線を通じてデータ信号を印加する段階とをさらに有することを特徴とする請求項１７に記載の表示装置の駆動方法。
【請求項２０】
前記第１フィールドの間に、前記第２走査線と前記第１データ線とによって規定される領域に前記第１データ線が延びている方向に形成された画素に前記第１データ線を通じてデータ信号を印加する段階と、
前記第２フィールドの間に、前記第２走査線と前記第２データ線とによって規定される領域に前記第２データ線が延びている方向に形成された画素に前記第２データ線を通じてデータ信号を印加する段階とを有することを特徴とする請求項１７に記載の表示装置の駆動方法。
【請求項２１】
前記データ信号が印加された画素の発光素子が所定の期間内に前記データ信号のサイズに対応して発光することを特徴とする請求項１７乃至２０のうちのいずれか一項に記載の表示装置の駆動方法。
【請求項２２】
複数のデータ線と複数の走査線とによって構成されるグループが複数個形成されており、各データ線と各走査線とに連結された画素回路が形成されている表示装置において、
各グループで前記複数のデータ線に各々該当するデータ信号を一つの信号線を通じて出力するデータ駆動部と、
各グループで前記信号線からのデータ信号を前記複数のデータ線に各々伝達する逆多重化部とを含み、
１フレームは第１及び第２フィールドを含み、
前記第１フィールドの間に前記グループで前記複数のデータ線のうちの第１データ線と前記複数の走査線のうちの第１走査線とに連結された画素回路が画像を表示し、
前記第２フィールドの間に前記グループで前記第２データ線と前記第１走査線とに連結された画素回路が画像を表示し、
前記第１フィールドが所定の期間移動した第３フィールドの間に前記グループで前記複数のデータ線のうちのいずれか一つの第３データ線と前記第２走査線とに連結された画素回路が画像を表示し、
前記第２フィールドが所定の期間移動した第４フィールドの間に前記グループで前記複数のデータ線のうちの前記第３データ線を除いたある一つの第４データ線と前記第２走査線とに連結された画素回路が画像を表示することを特徴とする表示装置。
【請求項２３】
前記第３データ線は前記第１データ線であり、前記第４データ線は前記第２データ線であることを特徴とする請求項２２に記載の表示装置。
【請求項２４】
前記第３データ線は前記第２データ線であることを特徴とする請求項２２に記載の表示装置。
【請求項２５】
前記第４データ線は前記第１データ線であることを特徴とする請求項２３に記載の表示装置。
【請求項２６】
前記第４データ線は前記第１及び第２データ線とは異なるデータ線であることを特徴とする請求項２４に記載の表示装置。
【請求項２７】
前記フレームは第５フィールドをさらに含み、
前記第５フィールドの間に前記第４データ線と前記第１走査線とに連結される画素回路が画像を表示することを特徴とする請求項２２に記載の表示装置。
【発明の詳細な説明】
【技術分野】
【０００１】
本発明は表示装置とその駆動方法に関し、特に有機電界発光（以下、‘ＥＬ'という）表示装置とその駆動方法に関する。
【背景技術】
【０００２】
一般に、有機ＥＬ表示装置は、蛍光性有機化合物を電気的に励起させて発光させる表示装置であって、Ｎ、Ｘ、Ｍ個の有機発光セルを電圧駆動或いは電流駆動して映像を表現することができるようになっている。このような有機発光セルは、アノード（ＩＴＯ）、有機薄膜、カソード層（Ｍｅｔａｌ）の構造を有している。有機薄膜は電子と正孔との均衡を良くして発光効率を向上させるために、発光層（ＥＭＬ）、電子輸送層（ＥＴＬ）及び正孔輸送層（ＨＴＬ）を含む多層構造からなり、また、別途の電子注入層（ＥＩＬ）と正孔注入層（ＨＩＬ）とを含んでいる。
【０００３】
このように構成される有機発光セルは、アドレシング方式によって正極と負極とを直交するように形成し、ラインを選択して駆動する単純マトリックス方式と、ＴＦＴとコンデンサーとを各ＩＴＯ画素電極に接続し、コンデンサーの容量によって電圧を維持して駆動する能動マトリックス方式とに区分することができ、駆動回路で入力される信号の形態（電圧または電流）によって電圧記入方式と電流記入方式とに区分することができる。
【０００４】
このような有機ＥＬ表示装置は、一般に、有機ＥＬ表示装置パネル、走査ドライバー、及びデータドライバーからなる。有機ＥＬ表示装置パネルは、画像信号を示すデータ信号を伝達する複数のデータ線、選択信号を伝達する複数の走査線、及び隣接した二つのデータ線と隣接した二つの走査線とによって定義される画素領域に形成されている画素回路からなる。このような有機ＥＬ表示装置において、走査ドライバーが走査線に選択信号を印加すれば、選択信号によってトランジスタがオン（ＯＮ）になって、データ線を通じて画像信号を示すデータ信号がデータドライバーから駆動用トランジスタのゲートに印加され、ゲートに印加されたデータ信号に対応してトランジスタを通じて有機ＥＬ素子に電流が流れて発光が行なわれる。
【０００５】
一方、データドライバーＩＣの数を減らすために、逆多重化部またはシフトレジスターを用いるが、電流記入方式でパネルを駆動する場合には、電流サンプル/ホールド回路を利用する。高解像度を実現するために画素にデータを記入するのに多くの時間がかかる電流記入方式では、このような電流サンプル/ホールド回路が一般的である。しかし、従来のサンプル/ホールド回路は、電流をサンプリング及びホールディングするスイッチとして薄膜トランジスタ（ＴＦＴ）を用いるため、ＴＦＴの特性によって用いることができる電流の範囲が制限される。また、ＴＦＴをスイッチングする時に発生するキックバック現象によって、サンプリングした電流とホールディングした電流とのサイズに差が生じ、これによりドライバーＩＣの出力電流とデータ線を駆動する電流とも異なるようになる。
【０００６】
このような電流変化をなくすためには、ドライバーＩＣの出力電流を調整しなければならないが、このためにはガンマ補正が必要である。しかし、ガンマ補正の過程でＴＦＴの特性の偏差によるホールド電流の偏差が発生して、画像が不均一になるという問題がある。
【発明の開示】
【発明が解決しようとする課題】
【０００７】
本発明は、このような問題点を解決するために、アナログスイッチを利用した逆多重化部を用いるＥＬ表示装置とその駆動方法を提供することを目的とする。
【課題を解決するための手段】
【０００８】
このような技術的課題を達成するための本発明の特徴による表示装置は、画像信号を示すデータ信号を伝達する第１信号を伝達する第１及び第２データ線、選択信号を伝達する第１走査線、前記第１データ線と前記第１走査線とに電気的に連結される第１画素回路、そして前記第２データ線と前記第１走査線とに電気的に連結される第２画素回路を含む表示領域、前記第１及び第２データ線に各々該当するデータ信号を信号線を通じて順次に出力するデータドライバー、前記選択信号を出力する走査ドライバー、そして前記信号線からのデータ信号を前記第１及び第２データ線に各々伝達する逆多重化部を含み、１フレームは第１及び第２フィールドを含み、前記第１フィールドのうちの第１期間内に前記第１データ線からのデータ信号が前記第１画素回路に入力され、前記第２フィールドのうちの第２期間内に前記第２データ線からのデータ信号が前記第２画素回路に入力される。
【０００９】
また、本発明の他の特徴による表示装置は、一方向に形成されている第１及び第２データ線、前記第１及び第２データ線と交差して形成されており、互いに隣接した第１及び第２走査線、前記第１データ線と前記第１走査線とに電気的に連結される第１画素回路、前記第２データ線と前記第１走査線とに電気的に連結される第２画素回路、前記第１データ線と前記第２走査線とに電気的に連結される第３画素回路、そして前記第２データ線と前記第２走査線とに電気的に連結される第４画素回路を含む表示領域、前記第１及び第２データ線に各々該当するデータ信号を信号線を通じて順次に出力するデータドライバー、そして前記信号線からのデータ信号を前記第１及び第２データ線に各々伝達する逆多重化部を含み、１フレームは第１及び第２フィールドを含み、前記第１フィールドの間に前記第１画素回路が画像を表示し、前記第２フィールドの間に前記第２画素回路が画像を表示し、前記第２フィールドが所定の期間移動した第３フィールドの間に前記第３画素回路が画像を表示し、前記第１フィールドが所定の期間移動した第４フィールドの間に前記第４画素回路が画像を表示する。
【００１０】
更に、本発明の他の特徴による表示装置は、一方向に形成されている第１及び第２データ線、前記第１及び第２データ線と交差して形成されており、互いに隣接した第１及び第２走査線、前記第１データ線と前記第１走査線とに電気的に連結される第１画素回路、前記第２データ線と前記第１走査線とに電気的に連結される第２画素回路、前記第１データ線と前記第２走査線とに電気的に連結される第３画素回路、そして前記第２データ線と前記第２走査線とに電気的に連結される第４ピックセル回路を含む表示領域、前記第１及び第２データ線に各々該当するデータ信号を信号線を通じて順次に出力するデータドライバー、そして前記信号線からのデータ信号を前記第１及び第２データ線に各々伝達する逆多重化部を含み、１フレームは第１及び第２フィールドを含み、前記第１フィールドの間に前記第１画素回路が画像を表示し、前記第２フィールドの間に前記第２画素回路が画像を表示し、前記第１フィールドが所定の期間移動した第３フィールドの間に前記第３画素回路が画像を表示し、前記第２フィールドが所定の期間移動した第４フィールドの間に前記第４画素回路が画像を表示する。
【００１１】
また、本発明の特徴による表示装置の駆動方法は、複数の第１データ線、隣接した第１データ線の間に各々形成される複数の第２データ線、複数の第１走査線、隣接した第１走査線の間に各々形成される複数の第２走査線、そして前記第１または第２データ線と前記第１または第２走査線とによって規定される領域に各々形成され、発光素子を有する複数の画素を含み、信号線を通じて順次に印加されるデータ信号を前記第１及び第２データ線に分離して印加する表示装置の駆動方法であって、一つのフレームは第１及び第２フィールドを含み、前記第１フィールドの間に、前記第１走査線と前記第１データ線とによって規定される領域に前記第１データ線が延びている方向に形成された画素に前記第１データ線を通じてデータ信号を順次に印加する段階、そして前記第２フィールドの間に、前記第１走査線と前記第２データ線とによって規定される領域に前記第２データ線が延びている方向に形成された画素に前記第２データ線を通じてデータ信号を印加する段階を含む。
【００１２】
更に、本発明の他の特徴による表示装置は、複数のデータ線と複数の走査線とによって構成されるグループが複数個形成されており、各データ線と各走査線とに連結された画素回路が形成されている表示装置であって、各グループで前記複数のデータ線に各々該当するデータ信号を一つの信号線を通じて出力するデータ駆動部、各グループで前記信号線からのデータ信号を前記複数のデータ線に各々伝達する逆多重化部を含み、１フレームは第１及び第２フィールドを含み、前記第１フィールドの間に前記グループで前記複数のデータ線のうち第１データ線と前記複数の走査線のうちの第１走査線とに連結された画素回路が画像を表示し、前記第２フィールドの間に前記グループで前記第２データ線と前記第１走査線とに連結された画素回路が画像を表示し、前記第１フィールドが所定の期間移動した第３フィールドの間に前記グループで前記複数のデータ線のうちのいずれか一つの第３データ線と前記第２走査線とに連結された画素回路が画像を表示し、前記第２フィールドが所定の期間移動した第４フィールドの間に前記グループで前記複数のデータ線のうちの前記第３データ線を除いたある一つの第４データ線と前記第２走査線とに連結された画素回路が画像を表示する。
【発明の効果】
【００１３】
本発明によって有機ＥＬ表示装置を駆動すると、供給電流が２倍になるので、逆多重化部を用いることによってデータの入力時間が短縮される問題を解決することができる。  
また、本発明は１フレームを複数個のフィールドに分けて駆動するので、デューティ駆動で発生するフリッカー現象を改善することができ、データを入力する時間も短縮することができる。
【発明を実施するための最良の形態】
【００１４】
図１は本発明の実施例による有機ＥＬ表示装置の概略的な平面図である。
【００１５】
図１に示すように、本発明の実施例による有機ＥＬ表示装置は、有機ＥＬ表示装置パネル１００、走査ドライバー２００、３００、データドライバー４００、及び逆多重化部５００を含む。
【００１６】
有機ＥＬ表示装置パネル１００は、画像信号を示すデータ信号を伝達する複数のデータ線（Ｄａｔａ[１]-Ｄａｔａ[ｎ]）、複数の走査線（ｓｅｌｅｃｔ１[１]-ｓｅｌｅｃｔ１[ｍ]、ｓｅｌｅｃｔ２[１]-ｓｅｌｅｃｔ２[ｍ]）及び複数の画素回路１１０を含む。データ線（Ｄａｔａ[１]-Ｄａｔａ[ｎ]）は画像信号を示すデータ信号を画素回路１１０に伝達し、走査線（ｓｅｌｅｃｔ１[１]-ｓｅｌｅｃｔ１[ｍ]）は画素回路１１０を選択するための選択信号を画素回路１１０に伝達し、走査線（ｓｅｌｅｃｔ２[１]-ｓｅｌｅｃｔ２[ｍ]）は画素回路１１０を発光させるための発光信号を画素回路１１０に伝達する。画素回路１１０は複数のデータ線（Ｄａｔａ[１]-Ｄａｔａ[ｎ]）と複数の走査線（ｓｅｌｅｃｔ１[１]-ｓｅｌｅｃｔ１[ｍ]）とによって覆われる複数の画素に各々形成される。このような有機ＥＬ表示装置パネル１００は、表示領域を形成し、以下に説明する走査ドライバー２００、３００、データドライバー４００、及び/または逆多重化部５００は、有機ＥＬ表示装置パネル１００に共に形成されることもできる。
【００１７】
走査ドライバー２００は走査線（ｓｅｌｅｃｔ１[１]-ｓｅｌｅｃｔ１[ｍ]）に選択信号を順次に印加し、走査ドライバー３００は走査線（ｓｅｌｅｃｔ２[１]-ｓｅｌｅｃｔ２[ｍ]）に発光信号を順次に印加する。データドライバー４００は画像信号を示すデータ信号を逆多重化部５００に印加し、逆多重化部５００は１:２形態のジマルチプレクサー（ＤｅＭＵＸ）で、データドライバー４００から一つのラインを通じて順次に印加されるデータ信号を二つのデータ線に分割して印加する。
【００１８】
以下、図２を参照して本発明の実施例による逆多重化部５００について詳細に説明する。図２は本発明の実施例による有機ＥＬ表示装置のデータドライバーに連結された逆多重化部５００を示す。
【００１９】
本発明の実施例による逆多重化部５００は、データドライバー４００と信号線（ＳＰ１-ＳＰｎ）を通じて連結されており、一つの信号線（ＳＰ１-ＳＰｎ’）を通じて順次に印加されるデータ信号を二つのデータ線（Ｄａｔａ[２ｉ-１]、Ｄａｔａ[２ｉ]）に伝達する。そして、一つの信号線（ＳＰ１-ＳＰｎ’）には二つのスイッチが連結されており、二つのスイッチには各々一つのデータ線が連結される。例えば、図２に示したように、信号線（ＳＰｉ）には二つのスイッチ（Ｓ１、Ｓ２）が連結されており、スイッチ（Ｓ１、Ｓ２）には各々データ線（Ｄａｔａ[２ｉ-１]、Ｄａｔａ[２ｉ]）が連結されている。この時、スイッチ（Ｓ１、Ｓ２）が交互にターンオンして信号線（ＳＰｉ）からのデータ信号を各々データ線（Ｄａｔａ[２ｉ-１]、Ｄａｔａ[２ｉ]）に伝達する。このようなスイッチ（Ｓ１、Ｓ２）としては、ＮＭＯＳまたはＰＭＯＳなどのトランジスタやこれと類似したスイッチング素子を用いることができる。
【００２０】
まず、図３を参照して、本発明の実施例による逆多重化部５００を用いて有機ＥＬ表示装置を駆動する方法のうちの一つの例について説明する。説明の便宜上、図３では２ｉ-１及び２ｉ番目のデータ線（Ｄａｔａ[（２ｉ-１）]、Ｄａｔａ[２ｉ]）とｊ番目の走査線（ｓｅｌｅｃｔ[ｊ]）とに連結される二つの画素回路１１０ａ、１１０ｂを例にあげて説明する。
【００２１】
図３に示したように、データドライバー４００からの信号線（ＳＰｉ）に二つのスイッチ（Ｓ１、Ｓ２）を通じて二つの画素回路１１０ａ、１１０ｂのデータ線（Ｄａｔａ[（２ｉ-１）]、Ｄａｔａ[２ｉ]）が連結されている。画素回路１１０ａは４つのトランジスタ（Ｍ１、Ｍ２、Ｍ３、Ｍ４）、キャパシタ（Ｃｓｔ）及び有機ＥＬ素子（ＯＬＥＤ）を含み、同様に、画素回路１１０ｂは４つのトランジスタ（Ｍ１’、Ｍ２’、Ｍ３’、Ｍ４’）、キャパシタ（Ｃｓｔ’）及び有機ＥＬ素子（ＯＬＥＤ’）を含む。
【００２２】
走査線（ｓｅｌｅｃｔ１[ｊ]）からの選択信号によってトランジスタ（Ｍ１、Ｍ２、Ｍ１’、Ｍ２’）がターンオンした状態で、まず、スイッチ（Ｓ１）がターンオンすると、信号線（ＳＰｉ）からのデータ信号がデータ線（Ｄａｔａ[（２ｉ-１）]）を通じて画素回路１１０ａに印加される。ターンオンしたトランジスタ（Ｍ１、Ｍ２）によってトランジスタ（Ｍ３）はダイオード連結されているので、データ線（Ｄａｔａ[（２ｉ-１）]）からのデータ信号に相当する電圧がキャパシタ（Ｃｓｔ）に入力される。
【００２３】
次に、スイッチ（Ｓ２）がターンオンすると、信号線（ＳＰｉ）からのデータ信号がデータ線（Ｄａｔａ[２ｉ]）を通じて画素回路１１０ｂに印加される。ターンオンしたトランジスタ（Ｍ１'、Ｍ２'）によってトランジスタ（Ｍ３’）はダイオード連結されているので、データ線（Ｄａｔａ[２ｉ]）からのデータ信号に相当する電圧がキャパシタ（Ｃｓｔ’）に入力される。この時、スイッチ（Ｓ１）はターンオフしているため、データ線（Ｄａｔａ[（２ｉ-１）]）を通じては０Ａの電流が伝達されるので、キャパシタ（Ｃｓｔ）には０Ａに相当する電圧（ブランク信号）が入力される。
【００２４】
したがって、走査線（ｓｅｌｅｃｔ２[ｊ]）からの発光信号によってトランジスタ（Ｍ４、Ｍ４'）がオンされて画素回路１１０ａ、１１０ｂが発光する場合に、画素回路１１０ａでは０Ａの電流が有機ＥＬ素子（ＯＬＥＤ）に流れる。つまり、画素回路１１０ａは元来の階調を表示することができず、ブランク状態になる。
【００２５】
このような問題点を解決するためには、画素回路１１０ａと画素回路１１０ｂとについて別途の走査線を用いることができるが、このように別途の走査線を追加すると配線が増えるので、開口率が減少し、追加された走査線を制御するための走査ドライバーも追加しなければならないので、費用が上昇する。
【００２６】
したがって、このような点を補完するために、本発明の実施例による有機ＥＬ表示装置駆動方法は、１フレームを第１フィールド及び第２フィールドに区分し、一つの信号線（ＳＰｉ）から出力されたデータ信号が印加される二つのデータ線（Ｄａｔａ[（２ｉ-１）]、Ｄａｔａ[２ｉ]）に連結された隣接した２つの画素が、第１フィールド及び第２フィールドの間に各々点灯されるように信号線（ＳＰｉ）に連結されたスイッチ（Ｓ１、Ｓ２）を駆動させる。以下、本発明の実施例による有機ＥＬ表示装置の駆動方法を詳細に説明する。
【実施例１】
【００２７】
図４乃至図７は、本発明の第１実施例による有機ＥＬ表示装置の駆動方法による信号のタイミング図と、この信号によって点灯された画素を示した図面である。
【００２８】
まず、第１フィールドの間には、図４に示されているように、走査ドライバー２００を通じて出力された選択信号が各々の走査線（ｓｅｌｅｃｔ１[１]-ｓｅｌｅｃｔ１[ｍ]）に順次に印加される間に、二つの隣接したデータ線（Ｄａｔａ[（２ｉ-１）]、Ｄａｔａ[２ｉ]）に交互にデータ信号が印加されるように、スイッチ（Ｓ１）とスイッチ（Ｓ２）とを交互にオン／オフにする。
【００２９】
つまり、走査線（ｓｅｌｅｃｔ１[１]）に選択信号が印加される時にはスイッチ（Ｓ１）をオンにし、スイッチ（Ｓ２）をオフにする。その結果、データ線（Ｄａｔａ[（２ｉ-１）]）にのみデータ信号が印加されて、データ線（Ｄａｔａ[２ｉ]）にはデータ信号が遮断される。したがって、走査線（ｓｅｌｅｃｔ２[１]）に発光信号が印加されると、走査線（ｓｅｌｅｃｔ１[１]）とデータ線（Ｄａｔａ[（２ｉ-１）]）とに連結される画素回路は発光し、走査線（ｓｅｌｅｃｔ１[１]）とデータ線（Ｄａｔａ[２ｉ]）とに連結される画素回路はブランク状態になって発光しない。このような発光信号は、走査線（ｓｅｌｅｃｔ１[１]）に印加される選択信号のイネーブル区間が終わった後で走査線（ｓｅｌｅｃｔ２[１]）に印加されるのが好ましい。或いは、発光信号を伝達する走査線（ｓｅｌｅｃｔ２[１]-ｓｅｌｅｃｔ２[ｍ]）を除去して、図３の画素回路でトランジスタ（Ｍ４、Ｍ４’）をＮＭＯＳトランジスタに変えて、これを走査線（ｓｅｌｅｃｔ１[１]-ｓｅｌｅｃｔ１[ｍ]）で駆動して、選択信号のイネーブル区間が終わると同時に画素回路が発光するようにすることもできる。
【００３０】
次に、走査線（ｓｅｌｅｃｔ１[２]）に選択信号が印加される時にはスイッチ（Ｓ２）をオンにし、スイッチ（Ｓ１）をオフにする。その結果、データ線（Ｄａｔａ[２ｉ]）にのみデータ信号が印加されて、データ線（Ｄａｔａ[（２ｉ-１）]）にはデータ信号が遮断される。したがって、走査線（ｓｅｌｅｃｔ２[２]）に発光信号が印加されると、走査線（ｓｅｌｅｃｔ１[２]）とデータ線（Ｄａｔａ[２ｉ]）とに連結される画素回路は発光し、走査線（ｓｅｌｅｃｔ１[２]）とデータ線（Ｄａｔａ[（２ｉ-１）]）とに連結される画素回路はブランク状態になって発光しない。
【００３１】
このような方法で走査線（ｓｅｌｅｃｔ[３]-ｓｅｌｅｃｔ[ｍ]）に選択信号が印加される間にスイッチ（Ｓ１）とスイッチ（Ｓ２）とを交互にオン／オフにして、データ線（Ｄａｔａ[（２ｉ-１）]）及びデータ線（Ｄａｔａ[２ｉ]）にデータ信号を順次に印加する。その結果、図５に示されているように、第１フィールドでは奇数番目の走査線（ｓｅｌｅｃｔ１[２ｊ-１]）と奇数番目のデータ線（Ｄａｔａ[（２ｉ-１）]）とに連結された画素回路と偶数番目の走査線（ｓｅｌｅｃｔ[２ｊ]）と偶数番目のデータ線（Ｄａｔａ[２ｉ]）とに連結された画素回路とにのみデータ信号が入力される。そして、データ信号が入力された画素回路は、以下で説明する第２フィールドによってブランク状態になるまで、つまり１フレームの約１/２の期間発光する。もちろん、発光信号のタイミングを調節して、これらの画素回路が発光する期間を減らすこともできる。
【００３２】
次に、第２フィールドの間には、第１フィールドと同様に走査ドライバー２００を通じて出力された選択信号が各々の走査線（ｓｅｌｅｃｔ１[１]-ｓｅｌｅｃｔ１[ｍ]）に順次に印加される間に、二つの隣接したデータ線（Ｄａｔａ[（２ｉ-１）]、Ｄａｔａ[２ｉ]）に交互にデータ信号が印加されるように、スイッチ（Ｓ１）とスイッチ（Ｓ２）とを交互にオン／オフにするが、図６に示されているように、第１フィールドと反対に、スイッチ（Ｓ１）とスイッチ（Ｓ２）とを交互にオン／オフにする。
【００３３】
図６に示したように、走査線（ｓｅｌｅｃｔ１[１]）に選択信号を印加してスイッチ（Ｓ２）をオンにし、スイッチ（Ｓ１）をオフにする。その結果、データ線（Ｄａｔａ[２ｉ]）にのみデータ信号が印加されて、データ線（Ｄａｔａ[（２ｉ-１）]）にはデータ信号が遮断される。したがって、走査線（ｓｅｌｅｃｔ２[１]）に発光信号が印加されると、走査線（ｓｅｌｅｃｔ１[１]）とデータ線（Ｄａｔａ[２ｉ]）とに連結される画素回路は発光し、走査線（ｓｅｌｅｃｔ１[１]）とデータ線（Ｄａｔａ[（２ｉ-１）]）とに連結される画素回路はブランク状態になって発光しない。このような発光信号も、第１フィールドの動作で説明したのと同様に、走査線（ｓｅｌｅｃｔ１[１]）に印加される選択信号のイネーブル区間が終わった後で走査線（ｓｅｌｅｃｔ２[１]）に印加されるのが好ましい。または、発光信号を伝達する走査線（ｓｅｌｅｃｔ２[１]-ｓｅｌｅｃｔ２[ｍ]）を除去して、図３の画素回路でトランジスタ（Ｍ４、Ｍ４’）をＮＭＯＳトランジスタに変えて、これを走査線（ｓｅｌｅｃｔ１[１]-ｓｅｌｅｃｔ１[ｍ]）で駆動して、選択信号のイネーブル区間が終わると同時に画素回路が発光するようにすることもできる。
【００３４】
次に、走査線（ｓｅｌｅｃｔ１[２]）に選択信号が印加される間にスイッチ（Ｓ１）をオンにし、スイッチ（Ｓ２）をオフにする。その結果、データ線（Ｄａｔａ[（２ｉ-１）]）にのみデータ信号が印加されて、データ線（Ｄａｔａ[２ｉ]）にはデータ信号が遮断される。したがって、走査線（ｓｅｌｅｃｔ２[２]）に発光信号が印加されると、走査線（ｓｅｌｅｃｔ１[２]）とデータ線（Ｄａｔａ[（２ｉ-１）]）とに連結される画素回路は発光し、走査線（ｓｅｌｅｃｔ１[２]）とデータ線（Ｄａｔａ[２ｉ]）とに連結される画素回路はブランク状態になって発光しない。
【００３５】
このような方法で走査線（ｓｅｌｅｃｔ[３]-ｓｅｌｅｃｔ[ｍ]）に選択信号が印加される間にスイッチ（Ｓ１）とスイッチ（Ｓ２）とを交互にオン／オフにして、データ線（Ｄａｔａ[（２ｉ-１）]）及びデータ線（Ｄａｔａ[２ｉ]）にデータ信号を順次に印加する。その結果、図７に示されているように、第２フィールドでは奇数番目の走査線（ｓｅｌｅｃｔ１[２ｊ-１]）と偶数番目のデータ線（Ｄａｔａ[２ｉ]）とに連結された画素回路と偶数番目の走査線（ｓｅｌｅｃｔ[２ｊ]）と奇数番目のデータ線（Ｄａｔａ[（２ｉ-１）]）とに連結された画素回路とにのみデータ信号が入力される。そして、データ信号が入力された画素回路は、前述した第１フィールドによってブランク状態になった後から、つまり１フレームの約１/２の期間発光する。もちろん、発光信号のタイミングを調節して、これらの画素回路が発光する期間を減らすこともできる。
【００３６】
このように、本発明の第１実施例による駆動方式では、１フレームの約半分の期間だけ発光させるデューティ駆動方式を用いるので、一般的な駆動方式に比べてデータ信号（電流）のサイズを２倍にすることができる。このようにデータ信号のサイズを２倍にすれば、入力時間が減少するという問題を解決することができる。また、本発明の第１実施例によるデューティ駆動方式は、奇数番目の画素と偶数番目の画素とを順次に発光させるので、従来のデューティ駆動方式で発生するフリッカー現象を改善することができる。
【００３７】
また、本発明の第１実施例による有機ＥＬ表示装置の駆動方法は、走査ドライバー２００を通じて出力された選択信号が各々の走査線（ｓｅｌｅｃｔ１[１]-ｓｅｌｅｃｔ１[ｍ]）に順次に印加される間に、二つの隣接したデータ線（Ｄａｔａ[（２ｉ-１）]、Ｄａｔａ[２ｉ]）に交互にデータ信号が印加されるように、スイッチ（Ｓ１）とスイッチ（Ｓ２）とを交互にオン／オフにするが、第１フィールドの間に奇数番目の走査線（ｓｅｌｅｃｔ１[２ｊ-１]）と偶数番目のデータ線（Ｄａｔａ[２ｉ]）とに連結された画素回路と偶数番目の走査線（ｓｅｌｅｃｔ[２ｊ]）と奇数番目のデータ線（Ｄａｔａ[（２ｉ-１）]）とに連結された画素回路とにのみデータ信号が入力されるようにし、第２フィールドの間に奇数番目の走査線（ｓｅｌｅｃｔ１[２ｊ-１]）と奇数番目のデータ線（Ｄａｔａ[（２ｉ-１）]）とに連結された画素回路と偶数番目の走査線（ｓｅｌｅｃｔ[２ｊ]）と偶数番目のデータ線（Ｄａｔａ[２ｉ]）とに連結された画素回路とにのみデータ信号が入力されるように、スイッチ（Ｓ１）とスイッチ（Ｓ２）とを交互にオン／オフにすることもできる。
【実施例２】
【００３８】
一方、本発明の第２実施例による有機ＥＬ表示装置駆動方法では、奇数番目のデータ線に連結された画素回路と偶数番目のデータ線に連結された画素回路とを各々第１フィールドと第２フィールドとの間に交互に発光させることができる。
【００３９】
図８乃至図１１は、このような本発明の第２実施例による有機ＥＬ表示装置の駆動方法による信号のタイミング図と、これにより点灯された画素を示した図面である。
【００４０】
まず、第１フィールドの間には、図８に示されているように、走査ドライバー２００を通じて出力された選択信号が各々の走査線（ｓｅｌｅｃｔ１[１]-ｓｅｌｅｃｔ１[ｍ]）に順次に印加される間に、スイッチ（Ｓ１）をオンにし、スイッチ（Ｓ２）をオフにする。その結果、データ線（Ｄａｔａ[（２ｉ-１）]）にのみデータ信号が印加されて、データ線（Ｄａｔａ[２ｉ]）にはデータ信号が遮断される。したがって、走査線（ｓｅｌｅｃｔ２[１]-ｓｅｌｅｃｔ２[ｍ]）に発光信号が順次に印加されると、図９に示されているように、走査線（ｓｅｌｅｃｔ１[１]-ｓｅｌｅｃｔ１[ｍ]）と奇数番目のデータ線（Ｄａｔａ[（２ｉ-１）]）とに連結される画素回路は順次に発光し、走査線（ｓｅｌｅｃｔ１[１]-ｓｅｌｅｃｔ１[ｍ]）と偶数番目のデータ線（Ｄａｔａ[２ｉ]）とに連結される画素回路はブランク状態になって発光しない。
【００４１】
このような発光信号は、走査線（ｓｅｌｅｃｔ１[１]-ｓｅｌｅｃｔ１[ｍ]）に印加される選択信号のイネーブル区間が終わった後で走査線（ｓｅｌｅｃｔ２[１]-ｓｅｌｅｃｔ２[ｍ]）に印加されるのが好ましい。または、発光信号を伝達する走査線（ｓｅｌｅｃｔ２[１]-ｓｅｌｅｃｔ２[ｍ]）を除去して、図３の画素回路でトランジスタ（Ｍ４、Ｍ４’）をＮＭＯＳトランジスタに変えて、これを走査線（ｓｅｌｅｃｔ１[１]-ｓｅｌｅｃｔ１[ｍ]）で駆動して、選択信号のイネーブル区間が終わると同時に画素回路が発光するようにすることもできる。
【００４２】
また、このようにデータ信号が入力された画素回路は、以下に説明する第２フィールドによってブランク状態になるまで、つまり１フレームの約１/２の期間発光する。もちろん、発光信号のタイミングを調節して、これらの画素回路が発光する期間を減らすこともできる。
【００４３】
次に、第２フィールドの間には、図１０に示されているように、走査ドライバー２００を通じて出力された選択信号が各々の走査線（ｓｅｌｅｃｔ１[１]-ｓｅｌｅｃｔ１[ｍ]）に順次に印加される間に、第１フィールドとは反対に、スイッチ（Ｓ１）をオフにし、スイッチ（Ｓ２）をオンにする。その結果、データ線（Ｄａｔａ[２ｉ]）にのみデータ信号が印加されて、データ線（Ｄａｔａ[（２ｉ-１）]）にはデータ信号が遮断される。したがって、走査線（ｓｅｌｅｃｔ２[１]-ｓｅｌｅｃｔ２[ｍ]）に発光信号が順次に印加されると、図１１に示されているように、走査線（ｓｅｌｅｃｔ１[１]-ｓｅｌｅｃｔ１[ｍ]）と偶数番目のデータ線（Ｄａｔａ[２ｉ]）とに連結される画素回路は順次に発光し、走査線（ｓｅｌｅｃｔ１[１]-ｓｅｌｅｃｔ１[ｍ]）と奇数番目のデータ線（Ｄａｔａ[（２ｉ-１）]）とに連結される画素回路はブランク状態になって発光しない。
【００４４】
このような発光信号も、走査線（ｓｅｌｅｃｔ１[１]-ｓｅｌｅｃｔ１[ｍ]）に印加される選択信号のイネーブル区間が終わった後で走査線（ｓｅｌｅｃｔ２[１]-ｓｅｌｅｃｔ２[ｍ]）に印加されるのが好ましい。または、発光信号を伝達する走査線（ｓｅｌｅｃｔ２[１]-ｓｅｌｅｃｔ２[ｍ]）を除去して、図３の画素回路でトランジスタ（Ｍ４、Ｍ４’）をＮＭＯＳトランジスタに変えて、これを走査線（ｓｅｌｅｃｔ１[１]-ｓｅｌｅｃｔ１[ｍ]）で駆動して、選択信号のイネーブル区間が終わると同時に画素回路が発光するようにすることもできる。
【００４５】
また、このようにデータ信号が入力された画素回路は、上述した第１フィールドによってブランク状態になった後から、つまり１フレームの約１/２の期間発光する。もちろん、発光信号のタイミングを調節して、これらの画素回路が発光する期間を減らすこともできる。
【００４６】
このように、本発明の第２実施例による有機ＥＬ表示装置駆動方法では、奇数番目のデータ線（Ｄａｔａ[（２ｉ-１）]）にデータ信号が全て印加された後、偶数番目のデータ線（Ｄａｔａ[２ｉ]）に信号が印加されるデューティ駆動方法を用いるので、データ電流を２倍にしてデータ信号が入力される時間を短縮することができる。
【００４７】
また、本発明の第２実施例による有機ＥＬ表示装置の駆動方法は、第１フィールドの間では、走査ドライバー２００を通じて出力された選択信号が各々の走査線（ｓｅｌｅｃｔ１[１]-ｓｅｌｅｃｔ１[ｍ]）に順次に印加される間に、スイッチ（Ｓ２）をオンにし、スイッチ（Ｓ１）をオフにし、第２フィールドの間にスイッチ（Ｓ１）をオンにし、スイッチ（Ｓ２）をオフにすることによって、第１フィールドの間は走査線（ｓｅｌｅｃｔ１[１]-ｓｅｌｅｃｔ１[ｍ]）と偶数番目のデータ線（Ｄａｔａ[２ｉ]）とに連結される画素回路が順次に発光し、第２フィールドの間は走査線（ｓｅｌｅｃｔ１[１]-ｓｅｌｅｃｔ１[ｍ]）と奇数番目のデータ線（Ｄａｔａ[（２ｉ-１）]）とに連結される画素回路が順次に発光するようにすることができる。
【００４８】
以上で、本発明の好ましい実施例について詳細に説明したが、本発明はこれに限定されず、その他の多様な変更や変形が可能である。つまり、本発明の実施例では１:２逆多重化部を中心に説明をしたが、本発明は１:Ｎ逆多重化部に多様に適用することができる。
【００４９】
例えば、１:３逆多重化部を用いる場合には、１フレームを第１、第２及び第３フィールドに区分し、一つの信号線（ＳＰｉ）から出力されたデータ信号が印加される３つのデータ線に連結された隣接した３つの画素が、第１、第２及び第３フィールドの間に各々点灯されるように信号線（ＳＰｉ）に連結された３つのスイッチ（図示せず）を駆動させる。
【００５０】
つまり、本発明の第１実施例による駆動方法によって、第１フィールドの間は走査線（ｓｅｌｅｃｔ１[３ｊ-２]）とデータ線（Ｄａｔａ[３ｉ-２]）とに連結された画素回路、走査線（ｓｅｌｅｃｔ[３ｊ-１]）とデータ線（Ｄａｔａ[３ｉ-１]）とに連結された画素回路、及び走査線（ｓｅｌｅｃｔ１[３ｊ]）とデータ線（Ｄａｔａ[３ｉ]）とに連結された画素回路にのみデータ信号が入力されるようにし、第２フィールドの間は走査線（ｓｅｌｅｃｔ１[３ｊ-２]）とデータ線（Ｄａｔａ[３ｉ-１]）とに連結された画素回路、走査線（ｓｅｌｅｃｔ[３ｊ-１]）とデータ線（Ｄａｔａ[３ｉ]）とに連結された画素回路、及び走査線（ｓｅｌｅｃｔ１[３ｊ]）とデータ線（Ｄａｔａ[３ｉ-２]）とに連結された画素回路にのみデータ信号が入力されるようにし、第３フィールドの間は走査線（ｓｅｌｅｃｔ１[３ｊ-２]）とデータ線（Ｄａｔａ[３ｉ]）とに連結された画素回路、走査線（ｓｅｌｅｃｔ[３ｊ-１]）とデータ線（Ｄａｔａ[３ｉ-２]）とに連結された画素回路、及び走査線（ｓｅｌｅｃｔ１[３ｊ]）とデータ線（Ｄａｔａ[３ｉ-１]）とに連結された画素回路にのみデータ信号が入力されるようにする。
【００５１】
また、本発明の第２実施例による駆動方法によって、第１フィールドの間は走査線（ｓｅｌｅｃｔ１[１]-ｓｅｌｅｃｔ１[ｍ]）とデータ線（Ｄａｔａ[３ｉ-２]）とに連結される画素回路が順次に発光し、第２フィールドの間は走査線（ｓｅｌｅｃｔ１[１]-ｓｅｌｅｃｔ１[ｍ]）とデータ線（Ｄａｔａ[３ｉ-１]）とに連結される画素回路が発光し、第３フィールドの間は走査線（ｓｅｌｅｃｔ１[１]-ｓｅｌｅｃｔ１[ｍ]）とデータ線（Ｄａｔａ[３ｉ]）とに連結される画素回路が順次に発光するようにすることができる。
【図面の簡単な説明】
【００５２】
【図１】本発明が適用される有機ＥＬ表示装置の概略的な平面図である。
【図２】本発明が適用される有機ＥＬ表示装置のデータドライバーに連結された逆多重化部の例を示す図面である。
【図３】図２で逆多重化部に連結されて動作する２個の画素回路を示す図面である。
【図４】本発明の第１実施例による有機ＥＬ表示装置駆動方法による信号のタイミング図と、これにより発光する画素を示す図面である。
【図５】本発明の第１実施例による有機ＥＬ表示装置駆動方法による信号のタイミング図と、これにより発光する画素を示す図面である。
【図６】本発明の第１実施例による有機ＥＬ表示装置駆動方法による信号のタイミング図と、これにより発光する画素を示す図面である。
【図７】本発明の第１実施例による有機ＥＬ表示装置駆動方法による信号のタイミング図と、これにより発光する画素を示す図面である。
【図８】本発明の第２実施例による有機ＥＬ表示装置駆動方法による信号のタイミング図と、これにより発光する画素を示す図面である。
【図９】本発明の第２実施例による有機ＥＬ表示装置駆動方法による信号のタイミング図と、これにより発光する画素を示す図面である。
【図１０】本発明の第２実施例による有機ＥＬ表示装置駆動方法による信号のタイミング図と、これにより発光する画素を示す図面である。
【図１１】本発明の第２実施例による有機ＥＬ表示装置駆動方法による信号のタイミング図と、これにより発光する画素を示す図面である。
【符号の説明】
【００５３】
１００  有機ＥＬ表示装置パネル
１１０、１１０ａ、１１０ｂ  画素回路
２００、３００  走査ドライバー
４００  データドライバー
５００  逆多重化部
Ｃｓｔ  キャパシタ
Ｄａｔａ[１]-Ｄａｔａ[ｎ]  データ線
Ｍ１、Ｍ２、Ｍ３、Ｍ４、Ｍ１’、Ｍ２’、Ｍ３’、Ｍ４’  トランジスタ
ＯＬＥＤ、ＯＬＥＤ’  有機ＥＬ素子
ｓｅｌｅｃｔ１[１]-ｓｅｌｅｃｔ１[ｍ]、ｓｅｌｅｃｔ２[１]-ｓｅｌｅｃｔ  ２[ｍ]  走査線
ＳＰ１-ＳＰｎ、ＳＰ１-ＳＰｎ’  信号線
Ｓ１、Ｓ２  スイッチ
【図１】
2005049838.tif 000003
【図２】
2005049838.tif 000004
【図３】
2005049838.tif 000005
【図４】
2005049838.tif 000006
【図５】
2005049838.tif 000007
【図６】
2005049838.tif 000008
【図７】
2005049838.tif 000009
【図８】
2005049838.tif 000010
【図９】
2005049838.tif 000011
【図１０】
2005049838.tif 000012
【図１１】
2005049838.tif 000013